(57)【要約】【課題】表示装置における特別図柄と普通図柄の保留記憶表示部を簡素化して認識し易くすると共に、各図柄保留記憶表示部の設置スペースを最小限に抑制したパチンコ遊技機を提供すること。【解決手段】遊技盤４のゲート９への打球の通過により、普通図柄表示装置１６の普通図柄が変動し所定態様で停止表示され、入賞口１０が所定時間開成状態となる普通図柄制御部と、入賞口１０の打球の入賞により、特別図柄表示装置１４の特別図柄が変動し所定態様で停止表示され、入賞口１０が所定時間開成状態となる特別図柄制御部と、ゲート９および入賞口１０に打球が通過する毎に保留個数を記憶する普通図柄および特別図柄保留記憶表示装置とを備えたパチンコ遊技機１において、普通図柄および特別図柄保留記憶表示装置の表示部を兼用し、同一の図柄保留記憶表示部１５ｂで保留表示されるようにした。【選択図】      図１
2004305303.tif 000002
【特許請求の範囲】
【請求項１】
遊技盤に設けられた通過ゲートに弾発した遊技球が通過することにより、普通図柄表示装置に表示された普通図柄が変動を開始し、この普通図柄が所定態様で停止表示された場合に、電動開閉入賞口が所定時間開成状態となる普通図柄制御部と、前記遊技盤に設けられた始動口に弾発した遊技球が入賞することにより、特別図柄表示装置に表示された特別図柄が変動を開始し、この特別図柄が所定態様で停止表示された場合に、電動開閉入賞口が所定時間開成状態となる特別図柄制御部と、前記通過ゲートに遊技球が通過する毎にこの通過個数を記憶する普通図柄保留記憶表示装置と、前記始動口に遊技球が入賞する毎にこの入賞個数を記憶する特別図柄保留記憶表示装置と、を備えたパチンコ遊技機において、
前記普通図柄保留記憶表示装置の表示部と前記特別図柄保留記憶表示装置の表示部とが、同一の表示部を兼用して保留表示されるようにしたことを特徴とするパチンコ遊技機。
【請求項２】
前記普通図柄保留記憶表示装置に係る保留記憶表示と、前記特別図柄保留記憶表示装置に係る保留記憶表示とを、それぞれ異なる表示態様で同一の表示部で保留表示されるようにした請求項１に記載のパチンコ遊技機。
【請求項３】
前記表示部が、複数の図形を重合させて構成されている請求項２に記載のパチンコ遊技機。
【請求項４】
前記表示部が、互いに関連性を有する表示態様で構成されている請求項３に記載のパチンコ遊技機。
【請求項５】
前記表示部が、複数の点灯色で構成されている請求項１または２に記載のパチンコ遊技機。
【発明の詳細な説明】
【０００１】
【発明の属する技術分野】
本発明は、パチンコ店に設置されるパチンコ遊技機に関し、特に特別図柄保留記憶表示および普通図柄保留記憶表示を備えたパチンコ遊技機に関する。
【０００２】
【従来の技術】
従来、パチンコ遊技機において、弾発された遊技球が始動口に入賞または通過ゲートを通過する等により、図柄表示装置の画面上で特別図柄を所定時間変動表示した後に停止し、この停止した特別図柄が予め定められた所定の特別図柄の組合せであれば遊技者に有利な特典を与える特別遊技状態を生起している。ここで入賞等から停止表示まで時間を要することから、次の条件成立を４個まで保留記憶する特別図柄保留記憶部と特別図柄保留記憶表示部（ＬＥＤ）を設けている。一方、弾発された遊技球が通過ゲートを通過する等により、図柄表示装置の画面上で普通図柄を所定時間変動表示した後に停止し、この停止した普通図柄が予め定められた所定の普通図柄であれば遊技者に有利な特典を与える特別遊技状態を生起している。ここで前述した特別図柄と同様、次の条件成立を４個まで保留記憶する普通図柄保留記憶部と普通図柄保留記憶表示部（ＬＥＤ）を設けている。これらの特別図柄保留記憶に関する制御は、遊技の進行を制御するメイン制御基板が実行し、このメイン制御基板が特別図柄保留記憶表示用のＬＥＤを点灯あるいは点滅している。また、普通図柄の変動制御もこのメイン制御基板からコマンドを送信し、特別図柄表示装置の表示部（液晶画面等）とは別の普通図柄表示用の表示部で表示しているのが一般的である。
【０００３】
しかしながら、このような従来の構成では、特別図柄保留記憶表示部および普通図柄保留記憶表示部をそれぞれ異なる表示領域に設けているため、遊技機のコストの高騰を招来するだけでなく、遊技者においてもそれぞれの表示部が特別図柄の保留記憶なのか普通図柄の保留記憶なのかが認識し難く混乱を招く恐れがあった。また、遊技機の盤面のスペースが制約される中で、これら各図柄保留記憶表示部の設置スペースも最小限に抑制しなければならないといった課題があり、各図柄における保留記憶の表示方法に工夫を凝らす必要があった。
【０００４】
こうした課題を解決するものとして、図３に示すものが知られている。このパチンコ遊技機は、第１の契機、すなわち遊技球が始動口に入賞等した際、ゲーム内容を遊技者に有利とするか否かを決定する制御基板と、画面を備えた可変表示装置と、遊技者に有利な特別のゲーム内容とする否かを決定する毎に画面上の特別図柄を変動表示した後、特別のゲーム内容であるか否かを示す特定図柄で静止表示するよう制御すると共に、第１の契機に関連するゲーム内容を遊技者に有利とするか否かを決定する毎に画面上の普通図柄を変動表示した後、有利であるか否かを示す特定図柄で静止表示するよう制御する画像制御基板と、を含むパチンコ遊技機であって、可変表示装置３２の一つの画面３２ａに、特別図柄を表示する特別図柄表示領域５０ａ〜５０ｃと、普通図柄を表示する表示部５３ａ〜５３ｄの中央部に表示される普通図柄表示領域５２と、特別図柄の変動表示についての特別図柄保留記憶個数を表示する特別図柄保留記憶個数表示領域５１と、普通図柄の変動表示についての普通図柄保留記憶個数を表示する普通図柄保留記憶個数表示領域５３と、をそれぞれ区分して表示するようにしている。
【０００５】
こうした構成を採用することにより、１つの画面で特別図柄および普通図柄を変動表示し、さらに各保留記憶についても記憶個数を報知するよう表示することができるので、メイン制御基板等の出力ボードおよび配線の削減により電気回路構成を簡素化することができる（例えば、特許文献１参照。）。
【０００６】
【特許文献１】
特開２００１―２８６６３３号公報（第３、４頁、第６図）
【０００７】
【発明が解決しようとする課題】
しかしながら、こうした従来のパチンコ遊技機は、１つの画面上で特別図柄および普通図柄を変動表示し、さらに各保留記憶についても記憶個数を報知するよう表示するようにしたので、メイン制御基板等の出力ボードおよび配線の削減により電気回路構成を簡素化することができるも、特別図柄保留記憶個数表示領域５１と、普通図柄の変動表示についての普通図柄保留記憶個数を表示する普通図柄保留記憶個数表示領域５３、およびこれら各図柄保留記憶表示部、すなわち特別図柄表示領域５０ａ〜５０ｃと普通図柄表示領域５２とを区分して表示するようにしているため、パチンコ遊技機のさらなる簡素化・低コスト化という課題と共に、この設置スペースを最小限に抑制しなければならないという課題が未だ残っていた。
【０００８】
本発明は、このような事情に鑑みてなされたもので、表示装置における特別図柄と普通図柄の保留記憶表示部を簡素化して認識し易くすると共に、各図柄保留記憶表示部の設置スペースを最小限に抑制したパチンコ遊技機を提供することを目的としている。
【０００９】
【課題を解決するための手段】
係る目的を達成すべく、本発明のうち請求項１に記載の発明は、遊技盤に設けられた通過ゲートに弾発した遊技球が通過することにより、普通図柄表示装置に表示された普通図柄が変動を開始し、この普通図柄が所定態様で停止表示された場合に、電動開閉入賞口が所定時間開成状態となる普通図柄制御部と、前記遊技盤に設けられた始動口に弾発した遊技球が入賞することにより、特別図柄表示装置に表示された特別図柄が変動を開始し、この特別図柄が所定態様で停止表示された場合に、電動開閉入賞口が所定時間開成状態となる特別図柄制御部と、前記通過ゲートに遊技球が通過する毎にこの通過個数を記憶する普通図柄保留記憶表示装置と、前記始動口に遊技球が入賞する毎にこの入賞個数を記憶する特別図柄保留記憶表示装置と、を備えたパチンコ遊技機において、前記普通図柄保留記憶表示装置の表示部と前記特別図柄保留記憶表示装置の表示部とが、同一の表示部を兼用して保留表示されるようにした構成を採用した。
【００１０】
このように、普通図柄保留記憶表示装置の表示部と特別図柄保留記憶表示装置の表示部とが、同一の表示部を兼用して保留表示されるようにしたので、従来２種類あった表示部を１つにすることができるため、低コスト化を図ることができると共に、従来２種類の表示部を設置するために確保されていた遊技盤上のスペースを抑制することができ、遊技盤の省スペース化をも図ることができる。
【００１１】
また、請求項２に記載の発明は、前記普通図柄保留記憶表示装置に係る保留記憶表示と、前記特別図柄保留記憶表示装置に係る保留記憶表示とを、それぞれ異なる表示態様で同一の表示部で保留表示されるようにしたので、従来あったような、遊技者においてそれぞれの２種類の表示部が特別図柄の保留記憶なのか普通図柄の保留記憶なのかが認識し難いといった混乱を解消することができる。
【００１２】
また、請求項３に記載の発明は、前記表示部が、複数の図形を重合させて構成され、好ましくは、請求項４に記載の発明のように、前記表示部が、互いに関連性を有する表示態様で構成されていれば、特別図柄と普通図柄の表示態様を関連性のあるキャラクタ等の図柄で表現することにより、従来面白味のなかった保留表示を興趣に富んだ保留表示とすることができ、演出効果が高まり遊技性が格段に向上する。
【００１３】
また、本発明のうち請求項５に記載の発明のように、前記表示部が、複数の点灯色で構成しても良い。これにより、従来２種類あった保留表示部を１つにすることができ低コスト化を図ることができると共に、従来２種類の保留表示部を設置するために確保されていた遊技盤上のスペースを一層抑制することができ、遊技盤の省スペース化をさらに図ることができる。
【００１４】
【発明の実施の形態】
以下、本発明の実施の形態を図面に基づいて詳細に説明する。
本実施形態に係るパチンコ遊技機１は、図１に示すように、ガラス板２が取り付けられた前面枠３を有しており、ガラス板２から遊技者が遊技盤４を目視できるように構成されている。前面枠３の下側には、前板５が発射レール（図示せず）を覆うように上皿６が設けられ、さらに前面枠３の下部には、ハンドル７が設けられると共に、上皿６で貯留できなくなった賞球を貯留する下皿８が設けられている。
【００１５】
９は打球が通過することにより検出スイッチ（図示せず）が作動するように遊技盤４上に設けられた通過ゲート、１０は図示しないソレノイドの作動により一対の翼片１０ａが開閉動するチューリップ型の電動開閉入賞口（始動口）、１１は図示しないソレノイドの作動により開閉扉１１ａが開閉動するように設けられ、この開閉扉１１ａが前方に開成することにより打球を極めて入り易くする電動開閉大入賞口である。その他普通入賞口１２、風車１３および図示しない遊技釘等が遊技盤４上に設けられている。
【００１６】
遊技盤４には、その中央部に、例えば３列に配置された複数の図柄を順次上から下に循環移動させて変動表示する特別図柄（以下特図という）表示装置１４が配設されている。この特図表示装置１４は、カラー液晶表示器等からなる表示部１５を備えている。この表示部１５は、３列に配設した複数の数字や絵を、上から下に流して表示する主表示部１５ａと、この主表示部１５ａの下方に位置する保留個数記憶表示部１５ｂとで構成されている。保留記憶表示部１５ｂではキャラクタ等の動画を表示することができる。
【００１７】
電動開閉入賞口１０に打球が入賞すると、それを検知するセンサ（図示せず）からの信号が後述するＣＰＵに入力され、特図表示装置１４の主表示部１５ａに複数の数字や絵を上から下に流して表示される。そして、その図柄変動は変動表示が開始してから所定時間経過後に３列に配設した複数の数字や絵が順次停止する。この停止図柄が数百分の１の確立をもって偶然にも例えば「０００」、「１１１」、「２２２」、…「７７７」等、横一列に全て揃うと、大当たり状態となって電動開閉大入賞口１１の開閉扉１１ａがソレノイドの作動により開成され、この電動開閉大入賞口１１に打球が極めて入り易い状況をもたらす。
【００１８】
特図表示装置１４の上方には普通図柄（以下普図という）表示装置１６が設けられている。この普図表示装置１６は、例えば１桁の数字の表示部１６ａに４、５、６、７等、０〜９の数字を高速で順次循環・表示するようになっている。そして、遊技盤４上に設けた通過ゲート９を打球が通過し、図示しないゲートセンサがそれを検出した時、表示部１６ａにはこれらの数値が順次高速で変動し数秒後に不特定な数字で停止する。この停止した数字が偶然にも予め定められた「３」「５」「７」等の所定図柄であった場合、電動開閉入賞口１０のソレノイドの作動により翼片１０ａを短時間開成し、打球が多少入賞し易くなるようにしている。
【００１９】
特図表示部１４における保留記憶表示部１５ｂは、主表示部１５ａの図柄の変動時に、さらに電動開閉入賞口１０に入賞した打球の数（保留個数）を記憶・表示するもので、図２に示すように、４個の表示部１５ｂ−１、１５ｂ−２、１５ｂ−３、１５ｂ−４で構成されている。これらはそれぞれ異なった表示態様を保留表示することができる。また、この保留記憶表示部１５ｂは、普図保留記憶表示部も兼ねている。すなわち、１桁の数字の表示部１６ａに数字が変動表示される間に、通過ゲート９を通過した打球を保留個数として記憶・表示する。
【００２０】
パチンコ遊技機１の内部には、メイン制御基板（図示せず）が配設されている。このメイン制御基板は、特図保留記憶および普図保留記憶に関する制御をはじめとして、パチンコ遊技機１の全般にわたる遊技内容を制御するもので、例えば乱数を取得して大当たりか否かの抽選を行なうものである。このメイン制御基板および各基板（図示せず）はそれぞれ透明樹脂からなるケース（図示せず）内に収容され、所定の基板や素子と電気的に接続されている。具体的には、メイン制御基板はＣＰＵを備え、遊技制御プログラムを記憶したＲＯＭおよび演算等の作業領域として働くＲＡＭを内蔵した論理演算回路として構成されている。その他各基板または各種スイッチ類および各種アクチュエータ類との入出力を行うための外部入出力回路が設けられている。
【００２１】
メイン制御基板の入力側には、図示しない特図始動スイッチ、普図始動スイッチ、カウントスイッチ、特定領域スイッチ等がＩ／Ｏを介して接続されている。また、出力側には、特図表示装置１４、保留記憶表示装置１５、普図表示装置１６、また、図示しない大入賞口ソレノイド、普通入賞口ソレノイド等がＩ／Ｏを介して接続されている。
【００２２】
次に、前述したパチンコ遊技機１による制御内容について説明する。この処理は例えば２ｍｓ毎の割り込み処理によって行なわれている。遊技中、通常のゲーム状態で、通過ゲート９を打球が通過した場合、それが普図表示装置１６の表示部１６ａの図柄が変動中であれば、普図保留記憶表示装置が保留個数を記憶していく訳であるが、本実施形態では図２に示すように、それらの保留個数を表示する普図保留記憶表示部と特図保留記憶表示部とを共用の保留記憶表示部１５ｂで保留表示している。
【００２３】
まず、図示しない普図保留記憶部が記憶する保留個数があるか否か、つまり普図表示装置１６の図柄変動中に、通過ゲート９を通過した打球があるか否かを判定する。さらに図示しない特図保留記憶部が記憶した入賞球の保留個数があるか否かを判定する。普図保留記憶部および特図保留記憶部に保留個数がない場合は保留個数があると判定されるまでその動作を繰り返す。
【００２４】
共に保留個数がある場合は、普図保留記憶部が記憶した保留個数と特図保留記憶部が記憶した保留個数とが予め設定された条件に一致した時、特別演出を発生させるか、または遊技者に有利な特典を付与する。なお、一致しない時は通常演出を発生させる。ここで、特別演出として、通常とは異なる表示態様での図柄変動や通常とは異なるキャラクタの登場、あるいは通常とは異なる大当たり画面等が例示できる。また、遊技者に付与される特典として、普通電動役物の開放および開放時間の延長、高確率変動、時間短縮あるいは大当たり等が例示できる。
【００２５】
表１は、本発明に係るパチンコ遊技機の保留記憶表示部１５ｂにおける態様を示している。横軸は保留記憶個数を示し、縦軸は特図作動用の保留記憶表示、普図作動用の保留記憶表示、および共用の保留記憶表示をそれぞれ示している。共に保留記憶個数がない場合表示はなく、特図保留記憶に関しては浦島太郎、普図保留記憶に関しては、浦島太郎に関連性を持った亀が表示される。
【００２６】
【表１】
2004305303.tif 000003
【００２７】
例えば、表２に示すように、特図保留記憶部が記憶した入賞球の保留個数が３個で、普図保留記憶部が記憶した保留個数が２個の場合、共用の保留記憶表示部１５ｂでは、４個の表示部のうち、１５ｂ−１、１５ｂ−２では亀に乗った浦島太郎が表示され、１５ｂ−３では浦島太郎のみが表示される。また、１５ｂ−４では表示がされない。すなわち、これら共用の保留記憶表示部１５ｂでは、特図保留記憶表示および普図保留記憶表示共、関連性のあるキャラクタで、かつ、それぞれ異なった表示態様で各保留記憶個数が表示される（図２参照）。
【００２８】
【表２】
2004305303.tif 000004
【００２９】
こうした構成にすることにより、従来２種類あった保留表示部を１つにすることができるため、低コスト化を図ることができると共に、従来２種類の保留表示部を設置するために確保されていた遊技盤４上のスペースを抑制することができ、遊技盤４の省スペース化をも図ることができる。さらに、前述したように、特別図柄と普通図柄の表示態様を関連性のあるキャラクタ等の図柄で表現することにより、従来面白味のなかった保留表示を興趣に富んだ保留表示とすることができ、遊技性が格段に向上する。
【００３０】
表３は、前述したような液晶表示等からなる特図表示部１４内に保留記憶表示部１５ｂがなく、遊技盤４上に別途、ＬＥＤ等からなる保留記憶表示部（図示せず）を設けた場合の態様を示している。横軸は保留記憶個数を示し、縦軸は特図作動用の保留記憶表示、普図作動用の保留記憶表示、および共用の保留記憶表示をそれぞれ示している。共に保留記憶個数がない場合点灯はなく、特図保留記憶に関しては赤色、普図保留記憶に関しては緑色がそれぞれ点灯される。そして、共用の保留記憶表示として、赤色と緑色が合成されてできる橙色が点灯される。
【００３１】
【表３】
2004305303.tif 000005
【００３２】
例えば、表４に示すように、特図保留記憶部が記憶した入賞球の保留個数が２個で、普図保留記憶部が記憶した保留個数が３個の場合、共用の保留記憶表示部では、４個の表示部のうち、第１番目と２番目の表示部は橙色、第３番目は緑色が点灯される。すなわち、これら共用の保留記憶表示部では、特図保留記憶表示および普図保留記憶表示共、それぞれ異なった表示態様で各保留記憶個数が表示される。
【００３３】
【表４】
2004305303.tif 000006
【００３４】
こうした構成にすることにより、前述した実施形態と同様、従来２種類あった保留表示部を１つにすることができるため、低コスト化を図ることができると共に、従来２種類の保留表示部を設置するために確保されていた遊技盤４上のスペースを一層抑制することができ、遊技盤４の省スペース化をさらに図ることができる。
【００３５】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【００３６】
【発明の効果】
以上詳述したように、本発明に係るパチンコ遊技機にあっては、遊技盤に設けられた通過ゲートに弾発した遊技球が通過することにより、普通図柄表示装置に表示された普通図柄が変動を開始し、この普通図柄が所定態様で停止表示された場合に、電動開閉入賞口が所定時間開成状態となる普通図柄制御部と、前記遊技盤に設けられた始動口に弾発した遊技球が入賞することにより、特別図柄表示装置に表示された特別図柄が変動を開始し、この特別図柄が所定態様で停止表示された場合に、電動開閉入賞口が所定時間開成状態となる特別図柄制御部と、前記通過ゲートに遊技球が通過する毎にこの通過個数を記憶する普通図柄保留記憶表示装置と、前記始動口に遊技球が入賞する毎にこの入賞個数を記憶する特別図柄保留記憶表示装置と、を備えたパチンコ遊技機において、前記普通図柄保留記憶表示装置の表示部と前記特別図柄保留記憶表示装置の表示部とが、同一の表示部を兼用して保留表示されるようにしたので、従来２種類あった表示部を１つにすることができるため、低コスト化を図ることができると共に、従来２種類の表示部を設置するために確保されていた遊技盤上のスペースを抑制することができ、遊技盤の省スペース化をも図ることができる。
【図面の簡単な説明】
【図１】本発明に係るパチンコ遊技機の実施形態を示す正面図である。
【図２】同上、特別図柄表示部を示す要部拡大図である。
【図３】従来のパチンコ遊技機の要部拡大図である。
【符号の説明】
１・・・・・・・・パチンコ遊技機
２・・・・・・・・ガラス板
３・・・・・・・・前面枠
４・・・・・・・・遊技盤
５・・・・・・・・前板
６・・・・・・・・上皿
７・・・・・・・・ハンドル
８・・・・・・・・下皿
９・・・・・・・・通過ゲート
１０・・・・・・・電動開閉入賞口
１０ａ・・・・・・翼片
１１・・・・・・・電動開閉大入賞口
１１ａ・・・・・・開閉扉
１２・・・・・・・普通入賞口
１３・・・・・・・風車
１４・・・・・・・特別図柄表示装置
１５・・・・・・・表示部
１５ａ・・・・・・主表示部
１５ｂ・・・・・・図柄保留記憶表示部
１５ｂ−１〜４・・表示部
１６・・・・・・・普通図柄表示装置
１６ａ・・・・・・表示部
３２・・・・・・・可変表示装置
３２ａ・・・・・・ＬＣＤパネルユニット
５０ａ〜５０ｃ・・特別図柄表示領域
５１・・・・・・・特別図柄保留記憶個数表示領域
５１ａ〜５１ｄ・・表示部
５２・・・・・・・普通図柄表示領域
５３・・・・・・・普通図柄保留記憶個数表示領域
５３ａ〜５３ｄ・・表示部
【図１】
2004305303.tif 000007
【図２】
2004305303.tif 000008
【図３】
2004305303.tif 000009